(57)【特許請求の範囲】
【請求項１】
吹出口本体に固定された上流側硬質部（１１）と、下流側硬質部（１２）と、上記上流側硬質部（１１）と上記下流側硬質部（１２）との中間の湾曲可能な軟質部（１３）とからなる複数の垂直羽根（１）と、
上記複数の垂直羽根（１）の上記下流側硬質部（１２）の上端に回動自在に連結した第１連結部材（２）と、
上記複数の垂直羽根（１）の上記下流側硬質部（１２）の下端に回動自在に連結した第２連結部材（３）とを備えて、
上記第１連結部材（２）と上記第２連結部材（３）とによって上記複数の垂直羽根（１）の上記軟質部（１３）をねじることができるようにしたことを特徴とする空気調和機の吹出口構造。
【請求項２】
請求項１に記載の空気調和機の吹出口構造において、
上記吹出口本体に、下流側に水平羽根（１０）を、上流側に上記複数の垂直羽根（１）を配置したことを特徴とする空気調和機の吹出口構造。
【請求項３】
請求項１または２に記載の空気調和機の吹出口構造において、
上記複数の垂直羽根（１）の並んでいる方向に上記第１連結部材（２）を駆動する第１駆動手段（４，６）と、
上記複数の垂直羽根（１）の並んでいる方向に上記第２連結部材（２）を駆動する第２駆動手段（５，７）とを備えたことを特徴とする空気調和機の吹出口構造。
【請求項４】
請求項１に記載の空気調和機の吹出口構造において、
上記吹出口に上記複数の垂直羽根（１）の下流側に位置するように設けられた水平羽根（１０）と、
上記複数の垂直羽根（１）の並んでいる方向に上記第１連結部材（２）を駆動する第１駆動手段（４，６）と、
上記複数の垂直羽根（１）の並んでいる方向に上記第２連結部材（２）を駆動する第２駆動手段（５，７）と、
上記水平羽根（１０）の上下方向の傾動に応じて、上記複数の垂直羽根（１）がねじれるように上記第１駆動手段（４，２１）と上記第２駆動手段（５，２２）とを制御する制御手段（２０）とを備えたことを特徴とする空気調和機の吹出口構造。
【発明の詳細な説明】
【０００１】
【発明の属する技術分野】
この発明は、吹出口に複数の垂直羽根を有する空気調和機の吹出口構造に関する。
【０００２】
【従来の技術】
従来、空気調和機の吹出口構造としては、吹出口に横方向に配列された平板状の複数の垂直羽根を有するものがある。この空気調和機の吹出口構造は、複数の垂直羽根を連結部材に回動自在に連結し、各垂直羽根を水平方向に傾けて、風向を水平方向に制御している。しかしながら、上記平板状の垂直羽根では、垂直羽根の水平方向の傾きが大きくなるほど、垂直羽根に沿って空気がスムーズに流れず、垂直羽根の下流側の空気流が乱れて、圧力損失が増大するという欠点がある。
【０００３】
そこで、図５に示すように、上流側硬質部５１と、下流側硬質部５２と、上記両硬質部５１，５２の中間の湾曲可能な軟質部５３とからなる垂直羽根５０を備えた空気調和機の吹出口構造が提案されている（特開平４−１３０４０号公報）。この空気調和機の吹出口構造は、図６に示すように、垂直羽根５０の下流側硬質部５２上端に設けられた凹部５４を上側吹出口本体６１の図示しない凸部に回転自在に嵌合すると共に、垂直羽根５０の下流側硬質部５２下端に設けられた凸部５５を下側吹出口本体６２の図示しない凹部に回転自在に嵌合して、複数の垂直羽根５０，５０，…（図６では２つのみを示す）を吹出口に横方向に配列している。そして、上記複数の垂直羽根５０，５０，…の上流側硬質部５１の下端に設けられた図５に示す切り欠き５１ａに連結部材６３を嵌合して、複数の垂直羽根５０，５０，…を互いに連結している。図７は図６の垂直羽根５０，５０，…と連結部材６３を上方から見た上面図を示し、垂直羽根５０，５０，…は、矢印の吹出方向に沿って略平行な状態にある。そして、図８に示すように、上記連結部材６３を矢印Ｒの方向に移動させることによって、上記複数の垂直羽根５０，５０，…の各軟質部５３を湾曲させて、吹出方向を図中左下方向に調整する。こうして、湾曲した複数の垂直羽根５０，５０，…に沿って空気がスムーズに流れて、圧力損失を低減し、水平方向の気流制御が行われる。
【０００４】
【発明が解決しようとする課題】
ところで、上記湾曲可能な複数の垂直羽根５０，５０，…を備えた空気調和機の吹出口構造では、水平羽根なしに風向を上下方向に制御することができない。また、上記複数の垂直羽根５０，５０，…の下流側に位置するように水平羽根を設けた場合、下流側の水平羽根による上下方向の気流制御が支配的なため、複数の垂直羽根５０，５０，…による水平方向の気流制御が十分に機能しないという問題がある。また、上記水平羽根が上下方向に傾動して、空気流に対する水平羽根の翼面の傾きが大きくなるほど、垂直羽根により水平方向に曲げられた空気流が水平羽根に上下方向の速度成分を持たずに衝突して、水平羽根による圧力損失が大きくなって、空気流の到達距離が短くなるという問題がある。
【０００５】
そこで、この発明の目的は、水平方向と上下方向の気流制御を圧力損失を低減して行うことができ、空気流の到達距離を大きくできる空気調和機の吹出口構造を提供することにある。
【０００６】
【課題を解決するための手段】
上記目的を達成するため、請求項１の空気調和機の吹出口構造は、吹出口本体に固定された上流側硬質部と、下流側硬質部と、上記上流側硬質部と上記下流側硬質部との中間の湾曲可能な軟質部とからなる複数の垂直羽根と、上記複数の垂直羽根の上記下流側硬質部の上端に回動自在に連結した第１連結部材と、上記複数の垂直羽根の上記下流側硬質部の下端に回動自在に連結した第２連結部材とを備えて、上記第１連結部材と上記第２連結部材とによって上記複数の垂直羽根の上記軟質部をねじることができるようにしたことを特徴としている。
【０００７】
上記請求項１の空気調和機の吹出口構造によれば、上記第１，第２連結部材を同一方向に同一量だけ移動させると、複数の垂直羽根の上流側硬質部を吹出口本体に固定しているので、第１，第２連結部材に連動して、軟質部が湾曲しながら下流側硬質部が回動する。そして、上記湾曲した複数の垂直羽根の翼面に沿って空気がスムーズに流れて、風向を水平方向に調整する。さらに、上記第１，第２連結部材の移動量を夫々調整して、複数の垂直羽根を自在にねじることによって、風向を上下方向に調整する。すなわち、上記第１，第２連結部材を例えば左方向に移動させる場合、上側の第１連結部材の移動量を下側の第２連結部材の移動量よりも大きくすると、各垂直羽根が反時計方向にねじれて、空気流に下向きの速度成分を与える一方、下側の第２連結部材の移動量を上側の第１連結部材の移動量よりも大きくすると、各垂直羽根が時計方向にねじれて、空気流に上向きの速度成分を与えるのである。なお、上記第１，第２連結部材を右方向に移動させる場合も同様である。したがって、上記第１，第２連結部材の移動量を夫々調整して、各垂直羽根のねじれ方向とそのねじれ量を調整することによって、水平羽根がなくとも、上下方向の速度成分を与えることができ、水平方向と上下方向の気流制御を行うことができる。
【０００８】
また、請求項２の空気調和機の吹出口構造は、請求項１の空気調和機の吹出口構造において、上記吹出口本体に、下流側に水平羽根を、上流側に上記複数の垂直羽根を配置したことを特徴としている。
【０００９】
上記請求項２の空気調和機の吹出口構造によれば、上記水平羽根の上下方向の傾動に応じて複数の垂直羽根をねじって、空気流に上下方向の速度成分を与えて、複数の垂直羽根からの空気流の水平羽根の翼面に対する傾きを小さくすることによって、水平羽根に沿って空気が流れやすくして、圧力損失を低減できる。また、上記複数の垂直羽根による水平方向の気流制御に対する水平羽根の影響が少なくなり、水平方向と上下方向の気流制御を効果的に行うことができる。
【００１０】
また、請求項３の空気調和機の吹出口構造は、請求項１または２に記載の空気調和機の吹出口構造において、上記複数の垂直羽根の並んでいる方向に上記第１連結部材を駆動する第１駆動手段と、上記複数の垂直羽根の並んでいる方向に上記第２連結部材を駆動する第２駆動手段とを備えたことを特徴としている。
【００１１】
上記請求項３の空気調和機の吹出口構造によれば、上記第１，第２駆動手段により第１，第２連結部材を別々に駆動して、第１，第２連結部材の各移動量を調整することによって、運転状態に応じて上記複数の垂直羽根を自動的にねじることができ、手動により第１，第２連結部材を調整する煩わしさがない。
【００１２】
また、請求項４の空気調和機の吹出口構造は、請求項１の空気調和機の吹出口構造において、上記吹出口に上記複数の垂直羽根の下流側に位置するように設けられた水平羽根と、上記複数の垂直羽根の並んでいる方向に上記第１連結部材を駆動する第１駆動手段と、上記複数の垂直羽根の並んでいる方向に上記第２連結部材を駆動する第２駆動手段と、上記水平羽根の上下方向の傾動に応じて、上記複数の垂直羽根がねじれるように上記第１駆動手段と上記第２駆動手段とを制御する制御手段とを備えたことを特徴としている。
【００１３】
上記請求項４の空気調和機の吹出口構造によれば、例えば、第１，第２連結部材を左方向に移動させたときに水平羽根が下向きの場合、制御手段により第１駆動手段と第２駆動手段とを制御して、上側の第１連結部材の移動量を下側の第２連結部材の移動量よりも大きくすることによって、各垂直羽根が反時計方向にねじれて、空気流に下向きの速度成分を与える。一方、上記第１，第２連結部材を左方向に移動させたときに水平羽根が上向きの場合、制御手段により第１駆動手段と第２駆動手段とを制御して、下側の第２連結部材の移動量を上側の第１連結部材の移動量よりも大きくすることによって、各垂直羽根が時計方向にねじれて、空気流に上向きの速度成分を与える。したがって、運転中に水平羽根の傾きが変化しても、水平羽根の上下方向の傾動に応じて複数の垂直羽根をねじり、空気流に上下方向の速度成分を与えて、複数の垂直羽根からの空気流の水平羽根の翼面に対する傾きを小さくするので、常に水平羽根に沿って空気が流れやくすして、圧力損失を低減できる。
【００１４】
【発明の実施の形態】
以下、この発明の空気調和機の吹出口構造を図示の実施の形態により詳細に説明する。
【００１５】
図１はこの発明の実施の一形態の空気調和機の吹出口構造の部分斜視図である。上記複数の垂直羽根１（図１では１つのみを示す）は、上流側硬質部１１と、下流側硬質部１２と、上記両硬質部１１，１２との中間の湾曲可能な軟質部１３で構成されている。そして、上記複数の垂直羽根１の上流側硬質部１１の上端を図示しない吹出口本体に固定している。また、上記複数の垂直羽根１の下流側硬質部１２の上端に第１連結部材２を回動自在に連結すると共に、複数の垂直羽根１の下流側硬質部１２の下端に第２連結部材３を回動自在に連結している。
【００１６】
また、図２に示すように、上記第１連結部材２の一端に伝動リンク４の一端を回動自在に接続し、その伝動リンク４の他端を略円筒形状の回転部（ステッピングモータを含む）６の下端面の外周近傍に回動自在に接続している。上記第１連結部材２の一端近傍には、長手方向に形成されたスリット２ａを有し、そのスリット２ａに図示しない吹出口本体に一端が固定されたガイド棒２１を嵌挿して、上記スリット２ａとガイド棒２１によって第１連結部材２を案内する。また、上記第２連結部３の一端に伝動リンク５の一端を回動自在に接続し、その伝動リンク５の他端を略円筒形状の回転部（ステッピングモータを含む）７の上端面の外周近傍に回動自在に接続している。上記第２連結部３の一端近傍には、長手方向に形成されたスリット３ａを有し、そのスリット３ａに図示しない吹出口に一端が固定されたガイド棒２２を嵌挿して、上記スリット３ａとガイド棒２２によって第２連結部材３を案内する。そして、上記回転部６，７の回転を制御する制御手段としてのコントローラ２０によって、上記回転部６，７を所定角度に回転させて、第１，第２連結部材２，３を伝動リンク４，５を介して長手方向に自在に移動させる。なお、上記伝動リンク４と回転部６で第１駆動手段を構成すると共に、伝動リンク５と回転部７で第２駆動手段を構成している。
【００１７】
上記構成の空気調和機の吹出口構造において、例えば、図３に示すように、上記回転部６，７（図２に示す）を回転させて、第１連結部材２を図中左の方向にｘＵ１移動させると共に、第２連結部材３を図中左方向にｘＬ１（＜ｘＵ１）移動させると、上流側硬質部１１をケーシングに固定しているので、第１，第２連結部材２，３に連動して、軟質部１３が湾曲しながら下流側硬質部１２が回動する。そして、上記複数の垂直羽根１が反時計方向にねじれて、空気流に下向きの速度成分を与える。なお、ｘＵ１，ｘＬ１は、垂直羽根１が湾曲していない位置からの第１，第２連結部材２，３の長手方向の移動量を示している。
【００１８】
一方、図４に示すように、上記回転部６，７（図２に示す）を回転させて、第１連結部材２を図中左の方向にｘＵ２移動させると共に、第２連結部材３を図中左方向にｘＬ２（＞ｘＵ２）移動させると、上流側硬質部１１をケーシングに固定しているので、第１，第２連結部材２，３に連動して、軟質部１３が湾曲しながら下流側硬質部１２が回動する。そして、上記複数の垂直羽根１が時計方向にねじれて、空気流に上向きの速度成分を与える。なお、ｘＵ２，ｘＬ２は、垂直羽根１が湾曲していない位置からの第１，第２連結部材２，３の長手方向の移動量を示している。
【００１９】
このように、上記第１，第２連結部材２，３の移動量を調整することによって、複数の垂直羽根１のねじれ方向とねじれ量を調整して、各垂直羽根１により水平方向と上下方向の気流制御を行うことができる。
【００２０】
また、上記吹出口本体に、複数の垂直羽根１の下流側に位置するように水平羽根１０（図３に示す）を設け、コントローラ２０により水平羽根用ステッピングモータ３０（図２に示す）を制御して、水平羽根１０を上下方向に傾動する場合、水平羽根１０の上下方向の傾動に応じて複数の垂直羽根１のねじり方向とねじり量を調整し、空気流に上下方向の速度成分を与えて、複数の垂直羽根１からの空気流の水平羽根１０の翼面に対する傾きを小さくすることによって、水平羽根１０に沿って空気が流れやすくして、圧力損失を低減できる。また、上記複数の垂直羽根１による水平方向の気流制御に対する水平羽根１０の影響が少なくなり、水平方向と上下方向の気流制御を効果的に行うことができる。さらに、上記複数の垂直羽根１と水平羽根１０の圧力損失を低減することによって、空気流に起因する騒音の発生を抑えると共に、送風ファンを低入力化できる。
【００２１】
また、上記第１駆動手段としての伝動リンク４と回転部６と、第２駆動手段としての伝動リンク５と回転部７とによって、第１，第２連結部材２，３を別々に駆動して、第１，第２連結部材２，３の各移動量を調整することによって、運転状態に応じて複数の垂直羽根１を自動的にねじることができ、手動により第１，第２連結部材２，３を調整する煩わしさがない。
【００２２】
また、上記水平羽根１０の上下方向の傾動に応じてコントローラ２０により回転部６，７を回転させ、上記第１，第２連結部材２，３を伝動リンク４，５を介して移動させて、複数の垂直羽根１をねじるので、運転中に水平羽根１０の傾きが変化しても、水平羽根１０の傾きに追随して、複数の垂直羽根１からの空気流に上下方向の速度成分を与えて、空気流の水平羽根１０の翼面に対する傾きを小さくでき、常に水平羽根１０に沿って空気が流れやすくして、圧力損失を低減することができる。
【００２３】
上記実施の形態では、第１駆動手段として伝動リンク４と回転部６と、第２駆動手段として伝動リンク５と回転部７とを用いたが、第１，第２駆動手段はこれに限らず、複数の垂直羽根の並んでいる方向に第１，第２連結部材を駆動するものであればよい。
【００２４】
【発明の効果】
以上より明らかなように、請求項１の発明の空気調和機の吹出口構造は、吹出口本体に固定された上流側硬質部と、下流側硬質部と、上記上流側硬質部と上記下流側硬質部との中間の湾曲可能な軟質部とからなる複数の垂直羽根を備え、上記複数の垂直羽根の下流側硬質部の上端に回動自在に連結した第１連結部材と、上記複数の垂直羽根の下流側硬質部の下端に回動自在に連結した第２連結部材とによって、複数の垂直羽根の上記軟質部をねじることができるようにしたので、第１，第２連結部材の移動量を夫々調整して、各垂直羽根のねじれ方向とそのねじれ量を調整することによって、水平羽根がなくとも、空気流に上下方向の速度成分を与えることができ、水平方向と上下方向の気流制御を行うことができる。
【００２５】
また、請求項２の発明の空気調和機の吹出口構造は、請求項１の空気調和機の吹出口構造において、上記吹出口本体に、下流側に水平羽根を、上流側に上記複数の垂直羽根を配置したので、上記水平羽根の上下方向の傾動に応じて複数の垂直羽根をねじって、空気流に上下方向の速度成分を与えて、複数の垂直羽根からの空気流の水平羽根の翼面に対する傾きを小さくすることによって、水平羽根に沿って空気が流れやすくして、圧力損失を低減することができる。また、上記複数の垂直羽根による水平方向の気流制御に対する水平羽根の影響が少なくなって、水平方向と上下方向の気流制御を効果的に行うことができる。さらに、上記複数の垂直羽根と水平羽根の圧力損失を低減することによって、空気流による騒音の発生を抑えると共に、送風ファンの入力を低減することができる。
【００２６】
また、請求項３の発明の空気調和機の吹出口構造は、請求項１または２の空気調和機の吹出口構造において、上記複数の垂直羽根の並んでいる方向に上記第１連結部材を駆動する第１駆動手段と、上記複数の垂直羽根の並んでいる方向に上記第２連結部材を駆動する第２駆動手段とを備えたので、第１，第２駆動手段により第１，第２連結部材を別々に駆動して、第１，第２連結部材の各移動量を調整することによって、上記複数の垂直羽根を自動的にねじることができ、手動により第１，第２連結部材を調整する煩わしさがない。
【００２７】
また、請求項４の発明の空気調和機の吹出口構造は、請求項１の空気調和機の吹出口構造において、上記吹出口に上記複数の垂直羽根の下流側に位置するように設けられた水平羽根と、上記複数の垂直羽根の並んでいる方向に上記第１連結部材を駆動する第１駆動手段と、上記複数の垂直羽根の並んでいる方向に上記第２連結部材を駆動する第２駆動手段と、上記水平羽根の上下方向の傾動に応じて、上記複数の垂直羽根がねじれるように第１駆動手段と第２駆動手段とを制御する制御手段とを備えたので、運転中に水平羽根の傾きが変化しても、水平羽根の上下方向の傾動に応じて複数の垂直羽根をねじり、空気流に上下方向の速度成分を与えて、複数の垂直羽根からの空気流の水平羽根の翼面に対する傾きを小さくすることによって、常に水平羽根に沿って空気が流れやくすして、圧力損失を低減できる。
【図面の簡単な説明】
【図１】図１はこの発明の実施の一形態の空気調和機の吹出口構造の部分斜視図である。
【図２】図２は上記垂直羽根を連結する第１，第２連結部材を駆動する手段を説明する概略図である。
【図３】図３は上記垂直羽根を湾曲させて、吹出方向を下向きにしたときの斜視図である。
【図４】図４は上記垂直羽根を湾曲させて、吹出方向を上向きにしたときの斜視図である。
【図５】図５は従来の空気調和機の吹出口構造の湾曲可能な垂直羽根の側面図である。
【図６】図６は上記空気調和機の吹出口構造の上記垂直羽根の斜視図である。
【図７】図７は上記垂直羽根を湾曲させる前の上面図である。
【図８】図８は上記垂直羽根を湾曲させたときの上面図である。
【符号の説明】
１…垂直羽根、２…第１連結部材、３…第２連結部材、
４，５…伝動リンク、６，７…回転部、１０…水平羽根、
１１…上流側硬質部、１２…下流側硬質部、１３…軟質部、
２０…コントローラ、３０…水平羽根用ステッピングモータ。
【図１】
0003603445.tif 000002
【図２】
0003603445.tif 000003
【図３】
0003603445.tif 000004
【図４】
0003603445.tif 000005
【図５】
0003603445.tif 000006
【図６】
0003603445.tif 000007
【図７】
0003603445.tif 000008
【図８】
0003603445.tif 000009